(57)【要約】  【課題】  本発明の目的は、トラフ内部に水の溜まる恐れのない、それ故、トラフ内部に苔等の植物の発生し難いトラフを提供することにある。  【解決手段】  本願発明のトラフは、左右の側壁と底壁とを有し上部が開口しているトラフ本体と、該トラフ本体の開口を塞ぐ蓋とからなり、前記トラフ本体同士は長手方向に接続されて延長可能になっているトラフにおいて、前記トラフ本体の一端部の外面に周方向に突縁と溝が、前記突縁が端部側に位置するように隣接して形成され、前記トラフ本体の他端部の内面に周方向に突縁と溝が、前記突縁が端部側に位置するように隣接して形成され、一端部の溝は他端部の突縁が緩く嵌入できる大きさに、他端部の溝は一端部の突縁が緩く嵌入できる大きさに形成されていて、かつ少なくとも前記他端部の溝は左右の側壁のみまたは左右の側壁と底部の一部のみに形成されていることを特徴とするものである。  【選択図】  図１
2005094961.tif 000002
【特許請求の範囲】
【請求項１】
左右の側壁と底壁とを有し上部が開口しているトラフ本体（１０）と、該トラフ本体（１０）の開口を塞ぐ蓋（１２）とからなり、前記トラフ本体（１０）同士は長手方向に接続されて延長可能になっているトラフにおいて、前記トラフ本体（１０）の一端部の外面に周方向に突縁（１４）と溝（１６）が、前記突縁（１４）が端部側に位置するように隣接して形成され、前記トラフ本体（１０）の他端部の内面に周方向に突縁（１８）と溝（２０）が、前記突縁（１８）が端部側に位置するように隣接して形成され、一端部の溝（１６）は他端部の突縁（１８）が緩く嵌入できる大きさに、他端部の溝（２０）は一端部の突縁（１４）が緩く嵌入できる大きさに形成されていて、かつ前記他端部の溝（２０）は左右の側壁のみまたは左右の側壁と底壁の一部のみに形成されていることを特徴とするトラフ。
【請求項２】
左右の側壁と底壁とを有し上部が開口しているトラフ本体（１０）と、該トラフ本体（１０）の開口を塞ぐ蓋（１２）とからなり、前記トラフ本体（１０）同士は長手方向に接続されて延長可能になっているトラフにおいて、前記トラフ本体（１０）の一端部の外面に周方向に突縁（１４）と溝（１６）が、前記突縁（１４）が端部側に位置するように隣接して形成され、前記トラフ本体（１０）の他端部の内面に周方向に突縁（１８）と溝（２０）が、前記突縁（１８）が端部側に位置するように隣接して形成され、一端部の溝（１６）は他端部の突縁（１８）が緩く嵌入できる大きさに、他端部の溝（２０）は一端部の突縁（１４）が緩く嵌入できる大きさに形成されていて、かつ前記他端部の底壁に設けられた溝（２０）の底部または側面下部にはトラフ本体（１０）の外部に貫通する水抜き穴（３０）が設けられていることを特徴とするトラフ。
【発明の詳細な説明】
【技術分野】
【０００１】
本発明は、鉄道の線路脇等に布設されて、その内部にケーブル等を収納するのに用いられるトラフに関するものである。
【背景技術】
【０００２】
鉄道の線路脇等に布設されて、その内部に通信用ケーブルや電力ケーブル等が収納されるトラフは、通常、左右の側壁と底壁とを有し上部が開口しているトラフ本体と、該トラフ本体の開口を塞ぐ蓋とからなっている。
このトラフを、例えば鉄道の線路に沿って線路脇に布設する場合、従来はコンクリート製トラフを使用することが多かった。
しかしながら最近では、この重いコンクリート製のトラフに代えて、軽量で布設作業が容易なプラスチック製のトラフが使用されるようになってきている。またこのプラスチックとして、例えばプラスチック製品の廃材から再生した再生プラスチック、すなわちリサイクルプラスチックも度々使用されるようになって来ている。
【０００３】
この種のものとして、例えば４００〜５００ｍｍ程度の長さのプラスチック製のトラフ同士を、その端部で接続しながら長手方向に延長していくものが知られている（特許文献１）。
この特許文献１に記載のトラフ１は、図５に示すように、左右の側壁２、３と、底壁４とを有していて、上部が開口しているトラフ本体５と、トラフ本体５の開口を塞ぐ蓋６とからなっている。
そしてこのトラフ１同士を接続して長手方向に延長する場合には、図５に示すように、一方の側のトラフ本体５の一端側の底壁４に設けられた突縁１１を、図６に示す接続する他方の側のトラフ本体５の他端部の底壁４に設けられている溝１２に、図７に示すように嵌入して、順次長手方向にトラフ本体５同士を接続してその長さを延ばしていくようになっている。尚、蓋６は図７では省略されているが、このようにして長手方向に所望長さ延長したトラフ内にケーブル等が収納された後、開口部には蓋６が被せられる。
【０００４】
【特許文献１】特開２０００−５５２４０号公報
【発明の開示】
【発明が解決しようとする課題】
【０００５】
ところで前述した特許文献１に記載のトラフの場合、図７に示すように複数のトラフ本体５が接続され所望の長さに達した後に、トラフ本体５内にケーブル等が収納されるが、このようなトラフ１を長期にわたって使用していると、前述した溝１２内に雨水等の水が溜まる恐れがある。
溝１２内に水が溜まると、そこに苔等の植物が発生し、これが起点になってトラフ本体５の内部にも植物が発生し、トラフ１内へのケーブルの通線等の邪魔になる、といった問題が起こる恐れがある。
【０００６】
そこで本発明の目的は前述の問題に鑑み、トラフ内部に水の溜まる恐れのない、それ故、トラフ内部に苔等の植物の発生し難いトラフを提供することにある。
【課題を解決するための手段】
【０００７】
前記目的を達成すべく本願発明の請求項１記載のトラフは、左右の側壁と底壁とを有し上部が開口しているトラフ本体と、該トラフ本体の開口を塞ぐ蓋とからなり、前記トラフ本体同士は長手方向に接続されて延長可能になっているトラフにおいて、前記トラフ本体の一端部の外面に周方向に突縁と溝が、前記突縁が端部側に位置するように隣接して形成され、前記トラフ本体の他端部の内面に周方向に突縁と溝が、前記突縁が端部側に位置するように隣接して形成され、前記一端部の溝は他端部の突縁が緩く嵌入できる大きさに、前記他端部の溝は一端部の突縁が緩く嵌入できる大きさに形成されていて、かつ前記他端部の溝は左右の側壁のみまたは左右の側壁と底壁の一部のみに形成されていることを特徴とするものである。
【０００８】
このようにしてなる本願発明の請求項１記載のトラフによれば、トラフ本体の一方の端部の底壁に設けられていた溝を全部なくすか、少なくとも一部のみ形成するにとどめたことにより、雨水等外部から仮にトラフ内に水が侵入してきたとしても、水は溜まる場所がないため、トラフ外部に抜ける。そのため苔等の植物がトラフ内部に発生し難くなり、長期にわたってケーブル通線等の作業を支障なく、行うことができる。
【０００９】
また本願発明の請求項２記載のトラフは、左右の側壁と底壁とを有し上部が開口しているトラフ本体と、該トラフ本体の開口を塞ぐ蓋とからなり、前記トラフ本体同士は長手方向に接続されて延長可能になっているトラフにおいて、前記トラフ本体の一端部の外面に周方向に突縁と溝が、前記突縁が端部側に位置するように隣接して形成され、前記トラフ本体の他端部の内面に周方向に突縁と溝が、前記突縁が端部側に位置するように隣接して形成され、前記一端部の溝は他端部の突縁が緩く嵌入できる大きさに、前記他端部の溝は一端部の突縁が緩く嵌入できる大きさに形成されていて、かつ前記他端部の底壁に設けられた溝の底部または側面下部にはトラフ本体の外部に貫通する水抜き穴が設けられていることを特徴とするものである。
【００１０】
このようにしてなる本願発明の請求項２記載のトラフによれば、水の溜まり易い前記他端部の溝の底部に、すなわち溝が形成されている底壁にトラフ本体の外部に貫通する水抜き穴が設けられているので、雨水等外部からトラフ内に水が侵入してきたとしても、水はこの水抜き穴から外部に排出される。そのため苔等の植物がトラフ内部に発生し難くなり、長期にわたってケーブル通線等の作業を支障なく、行うことができる。
【発明の効果】
【００１１】
以上のように本発明によれば、トラフ内部に水の溜まる恐れのない、それ故、トラフ内部に苔等の植物の発生し難いトラフを提供することができる。
【発明を実施するための最良の形態】
【００１２】
以下本願発明のトラフの各実施例を図１〜図４を用いて詳細に説明する。
【実施例１】
【００１３】
図１、図２は本願発明のトラフの第一実施例を示すものである。図１（Ａ）は平面図、図１（Ｂ）は側面図、図１（Ｃ）は正面図、そして図１（Ｄ）は背面図である。また図２は前記図１のトラフを長手方向に接続した状態を示すもので、図２（Ａ）は平面図、図２（Ｂ）は側面図である。
【００１４】
図１が示すように本願発明のトラフは、リサイクルプラスチックからなる左右の側壁と底壁とを有し上部が開口しているトラフ本体１０と、該トラフ本体１０の開口を塞ぐ蓋１２とからなっている。ここで蓋１２もリサイクルプラスチックからなるが、この蓋１２は本願発明の要点ではないので、図２に２点鎖線で簡単に示すにとどめることにする。
【００１５】
さて図１、図２に示すトラフ本体１０は、一端部の外面に周方向に突縁１４と溝１６が、突縁１４が端部側に位置するように隣接して形成され、かつ他端部の内面に周方向に突縁１８と溝２０が、突縁１８が端部側に位置するように隣接して形成されており、一端部の溝１６は他端部の突縁１８が緩く嵌入できる大きさに、同様に他端部の溝２０は一端部の突縁１４が緩く嵌入できる大きさに形成されている。
そしてこの第一実施例の特徴は、前記他端部の溝２０は、図１（Ａ）や図１（Ｄ）に端的に示すように、左右の側壁のみに設けられていて、底壁には設けられていない点にある。すなわち、底壁には左右の側壁に設けられているような突縁１８が設けられていない。
【００１６】
このように底壁に溝２０がないため、外部から仮に雨水等の水がトラフ本体１０内に侵入したとしても、その水はトラフ本体１０内に溜まるところがないため、トラフ本体１０の外に流れ出ていく。よって苔等の植物がトラフ内部に発生し難くなり、長期にわたってケーブル通線等の作業を支障なく、行うことができる。
尚、図１、図２に示す第一実施例においては底壁の溝２０だけでなく、この溝２０に嵌る予定の突縁１４も、側壁に設けられている突縁１４のみ残して底壁に接触する部分の突縁１４は無くしているが、底壁の溝２０さえなくせば、この突縁１４はそのまま残してもよい。いずれの場合にも、最終的にトラフ本体１０の開口部には蓋１２を被せる関係上、接続した隣接するトラフ本体１０の高さが一致するようにすることが必要である。
【実施例２】
【００１７】
図３に本願発明の第二実施例を示す。図３において、前記第一実施例と同じ部分には同一番号を付し、詳細な説明は特徴点のみとし、それ以外は説明を省略する。
この第二実施例の特徴は、図３（Ａ）や図３（Ｄ）に端的に示されているように、前記他端部の溝２０は左右の側壁の高さ方向には全長にわたって形成されているものの、底壁にあってはその一部だけにのみに形成されている点にある。換言すると、底壁には突縁１８が底壁の一部にしか設けられていなくて、この底壁に設けられた突縁１８の両側には溝２０は存在していない。
そのため外部から雨水等の水がトラフ本体１０内に侵入したとしても、その水は底壁の一部にのみ設けられた突縁１８の両側からトラフ本体１０の外部へと流れ出す。
このようにトラフ本体１０の内部に侵入した水は、トラフ本体１０内に溜まることができないため、苔等の植物がトラフ内部に発生し難くなり、長期にわたってケーブル通線等の作業を支障なく、行うことができる。
【００１８】
この第二実施例の場合には、底壁にも一部とはいえ溝２０が存在するため、トラフ本体１０同士を図２に示すようにその端部同士を接続して長手方向に延長していく場合、一方のトラフ本体１０の他端部の溝２０に他方のトラフ本体１０の一端部の突縁１４を嵌め込む際、突縁１４を両側壁方向と底壁方向の三方向で溝２０内に確保できるので、トラフ本体１０同士をよりがたつきを少なく組み付けることができる利点がある。
【実施例３】
【００１９】
図４に本願発明の第三実施例を示す。図４においても図１〜図３に示した前記第一、第二実施例と同じ部分には同一番号を付し、詳細な説明は特徴点のみとし、それ以外は説明を省略することにする。
この第三実施例の特徴は、前述した２つの実施例と異なり、図４（Ａ）や図４（Ｄ）に示すように、前記他端部の底壁にも溝２０を形成し、その代わりに底壁に設けたこの溝２０の底部に、トラフ本体１０の外部に貫通する水抜き穴３０を一個または複数個設けた点にある。
このように底壁に設けた溝２０に水抜き穴３０を設けたため、外部から仮に雨水等がトラフ本体１０内に侵入したとしても、その水はこの水抜き穴３０からトラフ本体１０の外部に抜けていく。よって苔等の植物がトラフ内部に発生し難くなり、長期にわたってケーブル通線等の作業を支障なく、行うことができる。
尚、図４においては水抜き穴３０を溝２０の底部に設けているが、溝２０の側面下部にこの水抜き穴３０を設けて溝２０内に水が溜まらないようにしてもよい。
【００２０】
この第三実施例の場合も、前記第二実施例の場合同様に、左右の側壁のみならず底壁にも溝２０が存在するため、トラフ本体１０同士を図２に示すようにその端部同士を接続して長手方向に延長していく場合、一方のトラフ本体１０の他端部の溝２０に他方のトラフ本体１０の一端部の突縁１４を嵌め込む際、突縁１４を両側壁方向と底壁方向の三方向で溝２０内に確保できるので、トラフ本体１０同士をよりがたつきを少なく組み付けることができる。
【００２１】
前述したようにいずれの実施例においても、仮に外部からトラフ本体１０内に水が侵入しても、その水はトラフ本体１０内に留まることなく外部に流れ出していき、トラフ１０本体内にいつまでも留まっていることがない。それ故、苔等の植物がトラフ内部に発生し難くなり、長期にわたってケーブル通線等の作業を支障なく、行うことができる。
【００２２】
ところで前述した本願発明の各トラフは、軽量にして布設作業性を高めるため、コンクリート製のものよりプラスチック製である方が好ましく、さらには環境問題に配慮してリサイクルプラスチック製であればより好ましい。尚、トラフ本体１０をプラスチック製にした場合でも、蓋１２は風に飛ばされ難いように重いコンクリート製にする等、布設条件に応じて両者を適宜組み合わせることもできる。
また第一実施例や第二実施例に、第三実施例を組み合わせて、例えば第二実施例のものに第三実施例の水抜き穴３０を設ければ、より確実に侵入した水をトラフ外部に逃がすことができる。
【図面の簡単な説明】
【００２３】
【図１】本願発明のトラフの第一実施例を示すもので、図１（Ａ）は平面図、図１（Ｂ）は側面図、図１（Ｃ）は正面図、そして図１（Ｄ）は背面図である。
【図２】前記図１のトラフを長手方向に接続した状態を示すもので、図２（Ａ）は平面図、図２（Ｂ）は側面図である。
【図３】本願発明のトラフの第二実施例を示すもので、図３（Ａ）は平面図、図３（Ｂ）は側面図、図３（Ｃ）は正面図、そして図３（Ｄ）は背面図である。
【図４】本願発明のトラフの第三実施例を示すもので、図４（Ａ）は平面図、図４（Ｂ）は側面図、図４（Ｃ）は正面図、そして図４（Ｄ）は背面図である。
【図５】従来のトラフの一例を示す斜視図である。
【図６】前記図５のトラフの一端部を示す一部斜視図である。
【図７】前記図５のトラフ同士を長手方向に接続した状態を示す断面側面図である。
【符号の説明】
【００２４】
１０  トラフ本体
１２  蓋
１４  一端部の突縁
１６  一端部の溝
１８  他端部の突縁
２０  他端部の溝
３０  水抜き穴
【図１】
2005094961.tif 000003
【図２】
2005094961.tif 000004
【図３】
2005094961.tif 000005
【図４】
2005094961.tif 000006
【図５】
2005094961.tif 000007
【図６】
2005094961.tif 000008
【図７】
2005094961.tif 000009